(57)【要約】【課題】利便性の向上を図ることができる制御システム、及び制御方法を提供する。【解決手段】制御システム１は、対象エリア９１に対応する第１照明機器７１、及び第２照明機器７２を制御する。制御システム１は、第１操作装置２と、第２操作装置３と、機器制御部４２と、情報処理部５２と、を備える。操作装置は、対象エリア９１に設けられ、ユーザによる入力操作の内容に応じた操作情報、及び対象エリア９１に対応する識別情報を出力する。機器制御部４２は、操作情報及び識別情報に基づいて第１照明機器７１及び第２照明機器７２を制御する。情報処理部５２は、操作情報及び識別情報に基づいて、対象エリア９１の利用に関する利用情報を生成する。【選択図】図１
2020141234.tif 000002
【特許請求の範囲】
【請求項１】
対象エリアに対応する機器を制御する制御システムであって、
前記対象エリアに設けられ、ユーザによる入力操作の内容に応じた操作情報、及び前記対象エリアに対応する識別情報を出力する操作装置と、
前記操作情報及び前記識別情報に基づいて前記機器を制御する機器制御部と、
前記操作情報及び前記識別情報に基づいて、前記対象エリアの利用に関する利用情報を生成する情報処理部と、を備える、
制御システム。
【請求項２】
前記対象エリアが利用中であるか否かを示す利用状況を表示する表示装置を更に備える、
請求項１に記載の制御システム。
【請求項３】
前記操作装置は、前記操作情報及び前記識別情報を、前記機器制御部を有する制御装置に出力し、
前記制御装置は、前記操作情報及び前記識別情報を前記表示装置に出力し、
前記表示装置は、前記制御装置を介して受信した前記操作情報及び前記識別情報に基づいて、前記対象エリアの利用状況を表示する、
請求項２に記載の制御システム。
【請求項４】
前記操作装置は、前記操作情報及び前記識別情報を、表示装置に出力し、
前記表示装置は、前記操作装置から受信した前記操作情報及び前記識別情報に基づいて、前記対象エリアの利用状況を表示する、
請求項２に記載の制御システム。
【請求項５】
前記操作装置は、前記操作情報及び前記識別情報を、前記情報処理部を有する処理装置に出力し、
前記処理装置は、前記操作情報及び前記識別情報を前記表示装置に出力し、
前記表示装置は、前記処理装置を介して受信した前記操作情報及び前記識別情報に基づいて、前記対象エリアの利用状況を表示する、
請求項２に記載の制御システム。
【請求項６】
前記表示装置は、前記利用情報をさらに表示する、
請求項１〜５のいずれか１項に記載の制御システム。
【請求項７】
前記機器制御部は、前記操作情報に基づいて、前記機器をオン／オフするオン／オフ制御、及び前記機器のオン時の動作を制御する動作制御を行う、
請求項１〜６のいずれか１項に記載の制御システム。
【請求項８】
前記操作装置は、前記操作情報及び前記識別情報を無線信号で出力する、
請求項１〜７のいずれか１項に記載の制御システム。
【請求項９】
前記操作装置は、前記入力操作によって発電する発電部と、前記発電部による発電電力を用いて前記操作情報及び前記識別情報を出力する出力部と、を有する、
請求項１〜８のいずれか１項に記載の制御システム。
【請求項１０】
前記操作装置を複数備え、
前記複数の操作装置は、互いに同じ前記対象エリアに設けられ、
前記機器制御部は、前記複数の操作装置それぞれの前記操作情報及び前記識別情報に基づいて、前記機器を制御する、
請求項１〜９のいずれか１項に記載の制御システム。
【請求項１１】
前記対象エリアは、開放空間であって前記対象エリアの内側の空間と外側の空間とが連続している、
請求項１〜１０のいずれか１項に記載の制御システム。
【請求項１２】
対象エリアに対応する機器を制御する制御方法であって、
前記対象エリアに設けられた操作装置が出力する操作情報、及び識別情報に基づいて、前記機器を制御する機器制御ステップと、
前記操作情報及び前記識別情報に基づいて、前記対象エリアの利用に関する利用情報を生成する情報処理ステップと、を含む、
制御方法。
【発明の詳細な説明】
【技術分野】
【０００１】
本開示は、一般に制御システム、及び制御方法に関し、より詳細には機器を制御する制御システム、及び制御方法に関する。
【背景技術】
【０００２】
従来、照明器具（機器）を制御する照明制御システム（制御システム）がある（例えば、特許文献１参照）。
【０００３】
特許文献１の照明制御システムでは、照明制御部は、スイッチ装置からの制御命令に基づいて、対象の照明器具の照明状態を制御する。スイッチ装置は、例えば壁に設けられており、通信線に接続されている。スイッチ装置は、例えば複数のプッシュボタンスイッチを備えている。各プッシュボタンスイッチは、１つの照明器具、あるいはグループと対応付けられている。スイッチ装置は、プッシュボタンスイッチが押されると、押されたプッシュボタンスイッチに対応する照明器具、あるいは対応するグループに属する照明器具の照明状態を指示する制御命令をコントローラに出力する。
【０００４】
コントローラは、複数の照明器具に対して照明制御信号を送信することにより、複数の照明器具の照明状態を個別又は一括に制御する。
【先行技術文献】
【特許文献】
【０００５】
【特許文献１】特開２０１８−００６２２１号公報
【発明の概要】
【発明が解決しようとする課題】
【０００６】
特許文献１の照明制御システムでは、複数の照明器具に対応する複数のプッシュボタン装置を有するスイッチ装置が壁に設けられている。そのため、ユーザが点灯又は消灯させたい照明器具が設けられている場所と、スイッチ装置の場所とが離れている場合があるため、ユーザはスイッチ装置の場所まで移動する必要があり、利便性が損なわれていた。
【０００７】
本開示は、上記事由に鑑みてなされており、その目的は、利便性の向上を図ることができる制御システム、及び制御方法を提供することにある。
【課題を解決するための手段】
【０００８】
本開示の一態様に係る制御システムは、対象エリアに対応する機器を制御する。前記制御システムは、操作装置と、機器制御部と、情報処理部と、を備える。前記操作装置は、前記対象エリアに設けられ、ユーザによる入力操作の内容に応じた操作情報、及び前記対象エリアに対応する識別情報を出力する。前記機器制御部は、前記操作情報及び前記識別情報に基づいて前記機器を制御する。前記情報処理部は、前記操作情報及び前記識別情報に基づいて、前記対象エリアの利用に関する利用情報を生成する。
【０００９】
本開示の一態様に係る制御方法は、対象エリアに対応する機器を制御する方法である。前記制御方法は、機器制御ステップと、情報処理ステップと、を含む。前記機器制御ステップでは、前記対象エリアに設けられた操作装置が出力する操作情報、及び識別情報に基づいて、前記機器を制御する。前記情報処理ステップでは、前記操作情報及び前記識別情報に基づいて、前記対象エリアの利用に関する利用情報を生成する。
【発明の効果】
【００１０】
本開示では、利便性の向上を図ることができるという効果がある。
【図面の簡単な説明】
【００１１】
【図１】図１は、本開示の一実施形態に係る制御システムのブロック図である。
【図２】図２は、同上の制御システムにおける表示装置の表示内容の一例である。
【図３】図３は、同上の制御システムの動作の第１シーケンス図である。
【図４】図４は、同上の制御システムの動作の第２シーケンス図である。
【図５】図５は、同上の制御システムの動作の第３シーケンス図である。
【発明を実施するための形態】
【００１２】
以下に説明する実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１３】
（実施形態）
本実施形態の制御システム１について、図１〜図５を参照して説明する。
【００１４】
制御システム１は、対象エリア９１（図２参照）に設けられた機器を制御する。制御システム１が、例えば会社等の非住宅施設に用いられる。本実施形態では、対象エリア９１は、オフィス、ロビー等の一部のスペースを想定している。対象エリア９１には、机９１１、椅子９１２が設けられており、例えば従業員、来客者等が打合せを行うことができる。また、対象エリア９１には、プレゼンテーション等に用いることができるモニタ９１３が設けられている。なお、モニタ９１３の代わりに、プロジェクタ及びスクリーンが設けられていてもよい。また、対象エリア９１は、いわゆるフリースペースであって、利用予約が不要であり、空いていれば利用することができる。
【００１５】
本実施形態では、制御システム１がオフィス９０（図２参照）に用いられる場合を例に説明する。図２に示す例では、オフィス９０において、作業エリア９２に隣接するように複数（本実施形態では４つ）の対象エリア９１（フリースペース）が設けられている。作業エリア９２とは、複数の従業員それぞれに割り当てられた座席が設けられているエリアであって、各座席には、机９２１、椅子９２２、パソコン等が設けられている。
【００１６】
各対象エリア９１は、開放空間であって対象エリア９１の内側の空間と外側の空間とが連続している。つまり、各対象エリア９１は、壁、扉等で空間が区切られた部屋ではない。なお、対象エリア９１の境界には、パーティション等によって一部が仕切られていてもよい。
【００１７】
以下の説明では、４つの対象エリア９１を区別して説明する場合、対象エリア９１Ａ、９１Ｂ、９１Ｃ、９１Ｄという（図２参照）。一例として、対象エリア９１Ａは、少人数用（例えば２〜４人用）の打合せスペースであり、対象エリア９１Ｂ、９１Ｃは、中人数（例えば５，６人用）の打合せスペースであり、対象エリア９１Ｄは、多人数（例えば７，８人用）の打合せスペースである。
【００１８】
本実施形態の制御システム１では、制御対象の機器としてオフィス９０に設けられた照明機器７（図１参照）を制御する。
【００１９】
各対象エリア９１には、複数の照明機器７が設けられている。対象エリア９１に設けられた複数の照明機器７を区別する場合、第１照明機器７１、第２照明機器７２、及び第３照明機器７３という（図１参照）。
【００２０】
第１照明機器７１は、対応する対象エリア９１の全体を照らすメインの照明機器７である。第１照明機器７１は、例えば机９１１の真上、又はその付近の天井に設けられている。なお、対象エリア９１の大きさに応じて、対象エリア９１には複数の第１照明機器７１が設けられていてもよい。
【００２１】
第２照明機器７２は、対応する対象エリア９１におけるプレゼンテーション時において、モニタ９１３（あるいはプロジェクタのスクリーン）を見やすくするために消灯される照明機器７である。第２照明機器７２は、例えばモニタ９１３（あるいはプロジェクタのスクリーン）の真上、又はその付近の天井に設けられている。
【００２２】
第３照明機器７３は、利用者を対応する対象エリア９１の場所に誘導するための誘導灯である。第３照明機器７３は、例えば机９１１の真上、又はその付近の天井に設けられている。
【００２３】
なお、機器（第１照明機器７１、第２照明機器７２、及び第３照明機器７３）が対応する対象エリア９１に設けられていることは必須ではなく、対象エリア９１の外側に設けられていてもよい。
【００２４】
また、オフィス９０に設けられた複数の照明機器７のうち、作業エリア９２に設けられている照明器を第４照明機器７４という。作業エリア９２には、複数の第４照明機器７４が設けられている。
【００２５】
本実施形態の制御システム１は、複数のスイッチシステム１０と、制御装置４と、サーバ５と、表示装置６と、を備えている（図１参照）。
【００２６】
複数のスイッチシステム１０は、複数の対象エリア９１と一対一に対応している。各スイッチシステム１０は、対応する対象エリア９１に設けられている。各スイッチシステム１０は、複数の操作装置として、第１操作装置２及び第２操作装置３を有している。
【００２７】
第１操作装置２は、自装置（第１操作装置２）が設けられている対象エリア９１の利用状況を周囲に知らせ、かつ、その利用状況を無線信号で制御装置４に出力する装置である。第１操作装置２は、例えば対象エリア９１に設けられた机９１１に配置されている。
【００２８】
第１操作装置２は、操作部２１と、表示部２２と、発電部２３と、出力部２４と、を備えている。
【００２９】
操作部２１は、ユーザ（利用者）の入力操作によって移動するように構成されている。本実施形態では、操作部２１は、入力操作として、一方向に沿った往復のスライド操作が可能に構成されている。操作部２１は、例えば、ユーザが指を掛けるつまみを有しており、一方向に沿った移動範囲の一端である第１位置と、他端である第２位置と、の間で往復移動が可能に構成されている。操作部２１は、入力操作として、第１位置から第２位置に向かう方向に移動される第１操作、及び第２位置から第１位置に向かう方向に移動される第２操作が行われる。
【００３０】
表示部２２は、対象エリア９１の利用状況を表示するように構成されている。表示部２２は、例えば、対象エリア９１が利用中であることを示す「使用中」という表記と、対象エリア９１が空いていることを示す「空」という表記と、の２つの表記を有している。表示部２２は、操作部２１の移動に応じて、２つの表記（「使用中」、「空」）のうち、一方の表記が選択的に露出し、他方の表記が選択的に被覆されるように構成されている。例えば、表示部２２は、操作部２１と一体に移動することにより、筐体の開口から一方の表記のみが露出する。例えば、操作部２１が第１位置にある場合、表示部２２の「空」という表記が露出し、操作部２１が第２位置にある場合、表示部２２の「使用中」という表記が露出する。この結果、表示部２２における露出している表記により、周囲に対象エリア９１の利用状況を知らせることができる。
【００３１】
発電部２３は、ユーザ（利用者）による操作部２１への入力操作によって発電するように構成されている。発電部２３は、例えば、コイル及び磁石を有している。磁石は、操作部２１のスライド操作（入力操作）に伴って移動するように構成されている。操作部２１へのスライド操作（入力操作）により、コイルと磁石との間の距離が変化することにより、電磁誘導によって電力が発生する。なお、発電部２３は、圧電素子を有し、操作部２１の移動に伴う圧電素子の振動による振動発電を行うように構成されていてもよい。
【００３２】
出力部２４は、無線信号を送信可能な無線通信モジュールである。出力部２４は、操作部２１が移動すると、操作部２１の移動により発電部２３が発電した電力を用いて無線信号を送信するように構成されている。無線信号には、操作情報及び識別情報を含まれている。
【００３３】
操作情報とは、ユーザによる入力操作の内容に応じた情報である。つまり、操作情報とは、操作部２１の移動方向を示す情報であって、操作部２１が第１位置から第２位置へ移動したか、操作部２１が第２位置から第１位置へ移動したか、を示している。言い換えれば、操作情報は、入力操作による移動後の操作部２１の位置が第１位置（「空」表記）であるか第２位置（「使用中」表記）であるかを示している。
【００３４】
識別情報とは、対象エリア９１に対応する情報である。言い換えれば、識別情報とは、第１操作装置２が設けられている対象エリア９１を識別するための情報（エリア情報）である。本実施形態の制御システム１では、第１操作装置２の固有情報と、対象エリア９１のエリア情報と対応付けており、第１操作装置２の固有情報を、識別情報に用いる。識別情報は、例えば第１操作装置２が有するメモリに記憶されている。
【００３５】
第１操作装置２は、例えば、ユーザによって、対象エリア９１の利用開始時に、操作部２１が第２位置（「使用中」表記）となるように入力操作されることにより、操作情報及び識別情報を出力する。また、第１操作装置２は、例えば、ユーザによって、対象エリア９１の利用終了時に操作部２１が第１位置（「空」表記）となるように入力操作されることにより、操作情報及び識別情報を出力する。つまり、第１操作装置２が出力する操作情報は、対象エリア９１の利用開始、及び利用終了を示している。
【００３６】
第２操作装置３は、自装置（第２操作装置３）が設けられている対象エリア９１に対応する照明機器７（第２照明機器７２）を制御するための無線信号を制御装置４に出力する装置である。第２操作装置３は、例えば対象エリア９１に設けられた机９１１に配置されている。
【００３７】
第２操作装置３は、操作部３１と、発電部３３と、出力部３４と、を備えている。
【００３８】
操作部３１は、ユーザ（利用者）の入力操作によって移動するように構成されている。本実施形態では、操作部３１は、入力操作として、押操作が可能に構成されている。操作部３１は、いわゆるａ接点型のスイッチを有しており、押操作されることによりスイッチがオン状態となり、押操作が解除されるとスイッチがオフ状態となる。
【００３９】
発電部３３は、ユーザ（利用者）による操作部３１への入力操作によって発電するように構成されている。発電部３３は、例えば、コイル及び磁石を有している。磁石は、操作部３１の押操作（入力操作）によって移動するように構成されている。操作部３１への押操作（入力操作）により、コイルと磁石との間の距離が変化することにより、電磁誘導によって電力が発生する。なお、発電部３３は、圧電素子を有し、操作部３１の移動に伴う圧電素子の振動による振動発電を行うように構成されていてもよい。
【００４０】
出力部３４は、無線信号を送信可能な無線通信モジュールである。出力部３４は、操作部３１の押操作（入力操作）によってスイッチがオン状態になると、操作部２１の移動により発電部２３が発電した電力を用いて無線信号を送信するように構成されている。無線信号には、操作情報及び識別情報を含まれている。
【００４１】
操作情報とは、ユーザによる入力操作の内容に応じた情報である。つまり、第２操作装置３における操作情報とは、操作部２１が入力操作（押操作）を受け付けたか否かを示す情報である。無線信号は、操作部２１が入力操作を受け付けた場合に送信する。したがって、操作情報は、操作部２１が入力操作を受け付けた（スイッチがオンした）というオン情報を含んでいる。
【００４２】
識別情報とは、対象エリア９１に対応する情報である。言い換えれば、識別情報とは、第２操作装置３が設けられている対象エリア９１を識別するための情報（エリア情報）である。本実施形態の制御システム１では、第２操作装置３の固有情報と、対象エリア９１のエリア情報と対応付けており、第２操作装置３の固有情報を、識別情報に用いる。識別情報は、例えば第２操作装置３が有するメモリに記憶されている。
【００４３】
第２操作装置３は、例えば、ユーザによって、モニタ９１３を用いたプレゼンテーションの開始時に、入力操作されることにより、操作情報及び識別情報を出力する。また、第２操作装置３は、例えば、ユーザによって、モニタ９１３を用いたプレゼンテーションの終了時に、入力操作されることにより、操作情報及び識別情報を出力する。つまり、第２操作装置３が出力する操作情報は、モニタ９１３を用いたプレゼンテーションの開始及び終了を示している。
【００４４】
制御装置４は、通信部４１と、機器制御部４２と、を備えている。
【００４５】
制御装置４は、例えばプロセッサ及びメモリを有するマイクロコンピュータを有している。そして、プロセッサがメモリに格納されているプログラムを実行することにより、マイクロコンピュータが機器制御部４２として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００４６】
通信部４１は、第１操作装置２及び第２操作装置３からの無線信号を受信可能な通信モジュールを有している。通信部４１は、第１操作装置２及び第２操作装置３から出力された無線信号を直接的に受信してもよいし、中継装置等を介して受信してもよい。通信部４１と中継装置との間の通信方式は、無線通信であってもよいし、有線通信であってもよい。
【００４７】
機器制御部４２は、第１操作装置２及び第２操作装置３からの無線信号に含まれる、操作情報、及び識別情報に基づいて、第１照明機器７１及び第２照明機器７２を制御するように構成されている。
【００４８】
具体的には、機器制御部４２は、第１操作装置２からの無線信号を受信した場合、この無線信号に含まれている識別情報に対応する対象エリア９１に設けられている第１照明機器７１及び第２照明機器７２を制御対象とする。機器制御部４２は、第１操作装置２からの無線信号に含まれる操作情報に基づいて、制御対象である第１照明機器７１及び第２照明機器７２を制御する。本実施形態では、操作情報が、入力操作による移動後の操作部２１の位置が第１位置（「空」表記）であることを示している場合、機器制御部４２は、第１照明機器７１及び第２照明機器７２が消灯状態となるように制御する。また、操作情報が、入力操作による移動後の操作部２１の位置が第２位置（「使用中」表記）であることを示している場合、機器制御部４２は、第１照明機器７１及び第２照明機器７２が点灯状態となるように制御する。つまり、第１操作装置２は、自装置（第１操作装置２）が設けられている対象エリア９１の第１照明機器７１及び第２照明機器７２の点灯状態と消灯状態とを切り替えるスイッチとしての機能を有する。
【００４９】
例えば、対象エリア９１Ａに設けられている第１操作装置２が、ユーザによる入力操作によって操作部２１が第１位置（「空」表記）から第２位置（「使用中」表記）に移動したとする。この場合、機器制御部４２は、第１操作装置２からの無線信号に含まれる識別情報及び操作情報に基づいて、対象エリア９１Ａに設けられている第１照明機器７１及び第２照明機器７２を点灯状態にする。また、対象エリア９１Ａに設けられている第１操作装置２が、ユーザによる入力操作によって操作部２１が第２位置（「使用中」表記）から第１位置（「空」表記）に移動したとする。この場合、機器制御部４２は、第１操作装置２からの無線信号に含まれる識別情報及び操作情報に基づいて、対象エリア９１Ａに設けられている第１照明機器７１及び第２照明機器７２を消灯状態にする。
【００５０】
また、機器制御部４２は、第２操作装置３からの無線信号を受信した場合、この無線信号に含まれている識別情報に対応する対象エリア９１に設けられている第２照明機器７２を制御対象とする。機器制御部４２は、第２操作装置３からの無線信号に含まれる操作情報に基づいて、制御対象である第２照明機器７２を制御する。具体的には、機器制御部４２は、第１照明機器７１が点灯状態であり、かつ第２操作装置３からの無線信号を受信した場合、第２照明機器７２を制御する。機器制御部４２は、第２操作装置３からの無線信号を受信した場合、第１照明機器７１が点灯状態であり、かつ第２照明機器７２が点灯状態であれば、第２照明機器７２が消灯状態となるように制御する。また、機器制御部４２は、第２操作装置３からの無線信号を受信した場合、第１照明機器７１が点灯状態であり、かつ第２照明機器７２が消灯状態であれば、第２照明機器７２が点灯状態となるように制御する。つまり、機器制御部４２は、第２操作装置３からの無線信号を受信した場合、第１照明機器７１が点灯状態であれば、第２照明機器７２の点灯状態と消灯状態とを切り替える。また、機器制御部４２は、第２操作装置３からの無線信号を受信した場合、第１照明機器７１が消灯状態であれば、第２照明機器７２を制御しない。
【００５１】
つまり、第２操作装置３は、自装置（第２操作装置３）が設けられている対象エリア９１の第１照明機器７１が点灯状態である場合に、第２照明機器７２の点灯状態と消灯状態とを切り替えるスイッチとして機能する。
【００５２】
また、本実施形態の制御装置４は、壁スイッチ１１（図１参照）からの信号に基づいて、オフィス９０全体（作業エリア９２及び４つの対象エリア９１）に設けられている複数の照明機器７を一括制御するように構成されている。
【００５３】
壁スイッチ１１は、例えば、オフィス９０の出入口付近の壁に設けられている。壁スイッチ１１は、押ボタンスイッチを有しており、ユーザによる押操作によりオン／オフされる。壁スイッチ１１は、例えば、通信線を介して制御装置４に接続されている。壁スイッチ１１は、押操作されるとオン／オフの状態を示す操作情報を含む信号を制御装置４に出力する。
【００５４】
制御装置４の機器制御部４２は、壁スイッチ１１からの信号に基づいて、オフィス９０全体（作業エリア９２及び４つの対象エリア９１）に設けられている複数の照明機器７を一括制御する。
【００５５】
具体的には、機器制御部４２は、壁スイッチ１１がオンされると、作業エリア９２に設けられている複数の第４照明機器７４の全てが点灯状態となるように一括制御する。また、機器制御部４２は、壁スイッチ１１がオンされると、各対象エリア９１に設けられている第３照明機器７３が点灯状態となるように一括制御する。
【００５６】
また、機器制御部４２は、壁スイッチ１１がオフされると、作業エリア９２に設けられている複数の第４照明機器７４、及び各対象エリア９１に設けられている第１照明機器７１、第２照明機器７２、及び第３照明機器７３の全てが消灯状態となるように一括制御する。
【００５７】
つまり、全ての照明機器７が消灯状態で壁スイッチ１１がオンされると、機器制御部４２は、作業エリア９２については全ての第４照明機器７４を点灯させ、各対象エリア９１については第３照明機器７３のみを点灯させる。したがって、壁スイッチ１１がオンされていても、各対象エリア９１の第１照明機器７１及び第２照明機器７２は消灯したままである。上述したように、第１照明機器７１及び第２照明機器７２は、第１操作装置２が入力操作された場合にのみ点灯する。
【００５８】
壁スイッチ１１は、例えば最初に出勤した人、及び最後に退勤する人によって操作される。これにより、少なくとも作業エリア９２に設けられている複数の第４照明機器７４が一括して点灯又は消灯される。また、対象エリア９１に設けられている第１照明機器７１及び第２照明機器７２については、壁スイッチ１１での消灯が可能であるが、点灯が不可である。そのため、対象エリア９１が利用されていない（人が不在である）にも関わらず、第１照明機器７１及び第２照明機器７２が点灯されることが抑制される。
【００５９】
また、制御装置４は、サーバ５と通信可能に構成されている。
【００６０】
通信部４１は、インターネットのような公衆のネットワークＮＴ１に接続可能な通信モジュールをさらに有している。通信部４１は、ネットワークＮＴ１を介してサーバ５と通信可能に構成されている。
【００６１】
機器制御部４２は、通信部４１を介して第１操作装置２及び第２操作装置３それぞれから受信した操作情報及び識別情報を、通信部４１を介してサーバ５に出力する。つまり、機器制御部４２は、第１操作装置２及び第２操作装置３それぞれからの操作情報及び識別情報をサーバ５に転送する。さらに、機器制御部４２は、壁スイッチ１１からの操作情報もサーバ５に転送する。
【００６２】
また、制御装置４は、表示装置６と通信可能に構成されている。
【００６３】
通信部４１は、表示装置６と通信可能な通信モジュールをさらに有している。通信部４１と表示装置６との間の通信方式は、通信線を介した有線通信であってもよいし、Wi-Fi（登録商標）、Bluetooth（登録商標）等の無線通信であってもよい。
【００６４】
制御装置４は、通信部４１を介して第１操作装置２及び第２操作装置３それぞれから受信した操作情報及び識別情報を、表示装置６に出力する。つまり、制御装置４は、第１操作装置２及び第２操作装置３それぞれからの操作情報及び識別情報を表示装置６に転送する。
【００６５】
サーバ５（処理装置）は、通信部５１、情報処理部５２、及び記憶部５３を備えている。
【００６６】
サーバ５は、例えばプロセッサ及びメモリを有するマイクロコンピュータを有している。そして、プロセッサがメモリに格納されているプログラムを実行することにより、マイクロコンピュータが情報処理部５２として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００６７】
通信部５１は、ネットワークＮＴ１に接続可能な通信モジュールを有している。通信部５１は、ネットワークＮＴ１を介して制御装置４と通信可能に構成されている。
【００６８】
記憶部５３はＨＤＤ（Hard Disk Drive）、ＳＳＤ（Solid State Drive）等から選択される記憶デバイスで構成されている。記憶部５３は、機器制御部４２から転送された操作情報及び識別情報を記憶する。つまり、記憶部５３は、第１操作装置２及び第２操作装置３それぞれから出力された操作情報及び識別情報を記憶する。さらに、記憶部５３は、壁スイッチ１１から出力された操作情報を記憶する。本実施形態では、記憶部５３は、操作情報及び識別情報を時刻情報に対応付けて記憶する。時刻情報とは、操作情報及び識別情報を受信した時刻、日付の情報を含む。
【００６９】
つまり、記憶部５３は、各対象エリア９１に設けられた第１操作装置２及び第２操作装置３、及び壁スイッチ１１の操作ログを記憶する。言い換えれば、記憶部５３は、各照明機器７の点灯／消灯の状態を示す制御ログを記憶する。制御ログは、汎用ソフトで編集可能な形式、例えばＣＳＶ（Comma Separated Values）形式等であることが好ましい。
【００７０】
情報処理部５２は、記憶部５３に記憶されている操作情報及び識別情報に基づいて利用情報を生成する。利用情報とは、対象エリア９１の利用に関する情報である。利用情報とは、例えば、対象エリア９１の利用回数、利用日時、利用時間、利用頻度、利用シーン状況などの情報を含む。
【００７１】
利用時間とは、利用１回あたりの時間、１日の積算利用時間、１週間の積算利用時間、１ヶ月の積算利用時間等である。
【００７２】
利用頻度とは、所定時間に対する利用時間の割合である。所定時間は、例えば勤務時間、又は壁スイッチ１１がオンされてからオフされるまでの時間である。１日の利用頻度は、所定時間に対する１日の積算利用時間の割合となる。１週間の利用頻度は、１週間の積算所定時間に対する１週間の積算利用時間の割合となる。１ヶ月の利用頻度は、１ヶ月の積算所定時間に対する１ヶ月の積算利用時間の割合となる。
【００７３】
利用シーン状況とは、モニタ９１３を用いたプレゼンテーションの時間、頻度等である。
【００７４】
第１操作装置２の操作情報は、対象エリア９１の利用開始及び利用終了を示し、第２操作装置３の操作情報は、モニタ９１３を用いたプレゼンテーションの利用及び終了を示している。そのため、情報処理部５２は、記憶部５３に記憶されている第１操作装置２及び第２操作装置３それぞれの操作情報及び識別情報のログに基づいて、対象エリア９１ごとの利用情報を生成することができる。
【００７５】
情報処理部５２は、利用情報として、各対象エリア９１における消費電力量、電気料金などをさらに算出してもよい。また、情報処理部５２は、各対象エリア９１において、壁スイッチ１１がオンされてからオフされるまでの期間中、第１照明機器７１及び第２照明機器７２を点灯させ続けている場合の消費電力量及び電気料金と、実際の消費電力量及び電気料金と、の差を算出してもよい。
【００７６】
表示装置６は、通信部６１、表示制御部６２、及び表示部６３を備えている。表示装置６は、例えば作業エリア９２に掲示されるサイネージであって、対象エリア９１の利用状況を表示する。
【００７７】
表示装置６は、例えばプロセッサ及びメモリを有するマイクロコンピュータを有している。そして、プロセッサがメモリに格納されているプログラムを実行することにより、マイクロコンピュータが表示制御部６２として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００７８】
通信部６１は、制御装置４と通信可能な通信モジュールをさらに有している。通信部６１と制御装置４との間の通信方式は、通信線を介した有線通信であってもよいし、Wi-Fi（登録商標）、Bluetooth（登録商標）等の無線通信であってもよい。
【００７９】
表示部６３は、例えば液晶ディスプレイである。
【００８０】
表示制御部６２は、通信部６１を介して受信した操作情報及び識別情報に基づいて、各対象エリア９１の利用状況を判断し、判断結果である各対象エリア９１の利用状況を表示部６３に表示させる。具体的には、表示制御部６２は、制御装置４によって転送された第１操作装置２の操作情報を受信する。上述したように、第１操作装置２の操作情報は、対象エリア９１の利用開始及び利用終了を示している。したがって、表示制御部６２は、第１操作装置２の操作情報に基づいて、対象エリア９１の利用状況、つまり使用中であるか否かを判断することができる。表示制御部６２は、第１操作装置２からの操作情報が、入力操作による移動後の操作部２１の位置が第１位置（「空」表記）であることを示している場合、対応する対象エリア９１が利用可能であると判断する。また、表示制御部６２は、第１操作装置２からの操作情報が、入力操作による移動後の操作部２１の位置が第２位置（「使用中」表記）であることを示している場合、対応する対象エリア９１が使用中であると判断する。
【００８１】
図２に示すように、表示制御部６２は、オフィス９０全体の見取り図を表示部６３に表示させる。そして、表示制御部６２は、オフィス９０全体の見取り図上に、各対象エリア９１の利用状況として「利用可能」又は「使用中」の表記を表示する。さらに、表示制御部６２は、使用中である対象エリア９１全体をグレーアウト表示する。図２に示す例では、対象エリア９１Ａ，９１Ｃが使用中であり、対象エリア９１Ｂ，９１Ｄが利用可能である。これにより、ユーザは、表示装置６を見ることにより、どの場所の対象エリア９１が利用可能であるかを直感的に把握することができる。
【００８２】
（動作例）
以下に、本実施形態の制御システム１の動作例について、図３〜図５を参照して説明する。
【００８３】
ここでは、初期状態として壁スイッチ１１がオフであり、オフィス９０全体の全ての照明機器７が消灯状態であるとする。
【００８４】
まず、最初にオフィス９０に出勤した人が、壁スイッチ１１をオンする（Ｓ１）。壁スイッチ１１がオンされることにより、壁スイッチ１１からオン状態を示す操作情報が制御装置４に出力される（Ｓ２）。
【００８５】
制御装置４は、壁スイッチ１１からの操作情報に基づいて、作業エリア９２の各第４照明機器７４、及び各対象エリア９１の第３照明機器７３を点灯させる点灯制御を行う（Ｓ３）。これにより、第４照明機器７４及び第３照明機器７３が点灯する（Ｓ４）。
【００８６】
また、制御装置４は、壁スイッチ１１からの操作情報をサーバ５に転送する（Ｓ５）。サーバ５は、壁スイッチ１１の操作情報を操作ログとして記憶する（Ｓ６）。
【００８７】
ここで、表示装置６には、各対象エリア９１の利用状況が表示されている。ユーザは、表示装置６を見ることにより、利用可能な対象エリア９１を確認することができる。ここでは、ユーザが対象エリア９１Ａを利用するとする。
【００８８】
ユーザが、対象エリア９１Ａの利用を開始する際に、対象エリア９１Ａに設けられている第１操作装置２に対して入力操作を行う（Ｓ７）。この入力操作により、操作部２１が第１位置（「空」表記）から第２位置（「使用中」表記）に移動する。したがって、第１操作装置２は、対象エリア９１Ａの識別情報、及び移動後の操作部２１の位置が第２位置（「使用中」表記）であることを示す操作情報を制御装置４に出力する（Ｓ８）。
【００８９】
制御装置４は、第１操作装置２からの識別情報及び操作情報に基づいて、対応する対象エリア９１Ａに設けられている第１照明機器７１及び第２照明機器７２を点灯させる点灯制御を行う（Ｓ９）。これにより、第１照明機器７１及び第２照明機器７２が点灯する（Ｓ１０）。
【００９０】
また、制御装置４は、第１操作装置２からの識別情報及び操作情報をサーバ５に転送する（Ｓ１１）。サーバ５は、第１操作装置２の識別情報及び操作情報を操作ログとして記憶する（Ｓ１２）。
【００９１】
また、制御装置４は、第１操作装置２からの識別情報及び操作情報を表示装置６に転送する（Ｓ１３）。表示装置６は、第１操作装置２の識別情報及び操作情報に基づいて、対応する対象エリア９１Ａの利用状況の表示を「利用可能」から「使用中」に変更する（Ｓ１４）。
【００９２】
次に、対象エリア９１Ａを利用中のユーザが、モニタ９１３を用いたプレゼンテーションを行うとする。
【００９３】
ユーザが、プレゼンテーションを開始する際に、対象エリア９１Ａに設けられている第２操作装置３に対して入力操作を行う（Ｓ１５）。この入力操作により、第２操作装置３は、対象エリア９１Ａの識別情報、及び操作情報を制御装置４に出力する（Ｓ１６）。
【００９４】
制御装置４は、第２操作装置３からの識別情報及び操作情報を受信する。このとき、対象エリア９１Ａの第１照明機器７１及び第２照明機器７２が点灯状態であるため、制御装置４は、対象エリア９１Ａに設けられている第２照明機器７２を消灯させる消灯制御を行う（Ｓ１７）。これにより、第２照明機器７２が消灯する（Ｓ１８）。モニタ９１３の真上、又はその付近に設けられた第２照明機器７２が消灯することによって、プレゼンテーション時にモニタ９１３が見やすくなる。
【００９５】
また、制御装置４は、第２操作装置３からの識別情報及び操作情報をサーバ５に転送する（Ｓ１９）。サーバ５は、第２操作装置３の識別情報及び操作情報を操作ログとして記憶する（Ｓ２０）。
【００９６】
また、ユーザが、プレゼンテーションを終了する際に、対象エリア９１Ａに設けられている第２操作装置３に対して入力操作を行う（Ｓ２１）。この入力装置により、第２操作装置３は、対象エリア９１Ａの識別情報、及び操作情報を制御装置４に出力する（Ｓ２２）。
【００９７】
制御装置４は、第２操作装置３からの識別情報及び操作情報を受信する。このとき、対象エリア９１Ａの第１照明機器７１が点灯状態であり、第２照明機器７２が消灯状態であるため、制御装置４は、対象エリア９１Ａに設けられている第２照明機器７２を点灯させる点灯制御を行う（Ｓ２３）。これにより、第２照明機器７２が点灯する（Ｓ２４）。
【００９８】
また、制御装置４は、第２操作装置３からの識別情報及び操作情報をサーバ５に転送する（Ｓ２５）。サーバ５は、第２操作装置３の識別情報及び操作情報を操作ログとして記憶する（Ｓ２６）。
【００９９】
次に、ユーザが、対象エリア９１Ａの利用を終了する際に、対象エリア９１Ａに設けられている第１操作装置２に対して入力操作を行う（Ｓ２７）。この入力操作により、操作部２１が第２位置（「使用中」表記）から第１位置（「空」表記）に移動する。したがって、第１操作装置２は、対象エリア９１Ａの識別情報、及び移動後の操作部２１の位置が第１位置（「空」表記）であることを示す操作情報を制御装置４に出力する（Ｓ２８）。
【０１００】
制御装置４は、第１操作装置２からの識別情報及び操作情報に基づいて、対応する対象エリア９１Ａに設けられている第１照明機器７１及び第２照明機器７２を消灯させる消灯制御を行う（Ｓ２９）。これにより、第１照明機器７１及び第２照明機器７２が点灯する（Ｓ３０）。
【０１０１】
また、制御装置４は、第１操作装置２からの識別情報及び操作情報をサーバ５に転送する（Ｓ３１）。サーバ５は、第１操作装置２の識別情報及び操作情報を操作ログとして記憶する（Ｓ３２）。
【０１０２】
また、制御装置４は、第１操作装置２からの識別情報及び操作情報を表示装置６に転送する（Ｓ３３）。表示装置６は、第１操作装置２の識別情報及び操作情報に基づいて、対応する対象エリア９１Ａの利用状況の表示を「使用中」から「利用可能」に変更する（Ｓ３４）。
【０１０３】
次に、オフィス９０から最後に退勤する人が、壁スイッチ１１をオフする（Ｓ３５）。壁スイッチ１１がオフされることにより、壁スイッチ１１からオフ状態を示す操作情報が制御装置４に出力される（Ｓ３６）。
【０１０４】
制御装置４は、壁スイッチ１１からの操作情報に基づいて、オフィス９０全体の全ての照明機器７を消灯させる消灯制御を行う（Ｓ３７）。ここでは、第１照明機器７１及び第２照明機器７２が既に消灯状態であるため、制御装置４は、第３照明機器７３及び第４照明機器７４を消灯させる消灯制御を行う。これにより、第３照明機器７３及び第４照明機器７４が消灯する（Ｓ３８）。したがって、オフィス９０全体の複数の照明機器７の全てが消灯状態となる。
【０１０５】
また、制御装置４は、壁スイッチ１１からの操作情報をサーバ５に転送する（Ｓ３９）。サーバ５は、壁スイッチ１１の操作情報を操作ログとして記憶する（Ｓ４０）。
【０１０６】
（利点）
以下に、本実施形態の制御システム１の利点について説明する。
【０１０７】
例えば、対象エリア９１の第１照明機器７１及び第２照明機器７２を点灯させるためのスイッチが、オフィス９０の出入口付近にある場合、ユーザは、対象エリア９１の外側のオフィス９０の出入口付近まで移動する必要があった。さらに、複数のスイッチがある場合、どのスイッチが、利用する対象エリア９１に対応しているか迷ったり、誤ったスイッチを操作して異なるエリアの照明機器７を点灯又は消灯させたりしてしまうおそれがあった。
【０１０８】
本実施形態の制御システム１では、対象エリア９１に設けられた第１照明機器７１及び第２照明機器７２を制御するための第１操作装置２及び第２操作装置３が、対象エリア９１に設けられている。そのため、対象エリア９１を利用するユーザは、第１照明機器７１及び第２照明機器７２を点灯させるためのスイッチを探したり、対象エリア９１外に移動したりする手間を省くことができ、利便性の向上を図ることができる。また、第１操作装置２及び第２操作装置３は、対象エリア９１と一対一に対応しているため、ユーザが操作するスイッチ（第１操作装置２、第２操作装置３）を迷う可能性を抑制できる。
【０１０９】
また、第１操作装置２及び第２操作装置３は、それぞれ入力操作に応じて発電部２３，３３が発電した電力を用いて操作情報及び識別情報を無線信号により出力する、いわゆるエナジーハーベスタスイッチで構成されている。したがって、第１操作装置２及び第２操作装置３の設置位置の自由度が向上する。また、第１操作装置２及び第２操作装置３の電池の交換などの手間を省くことができる。さらに、例えば、第１操作装置２又は第２操作装置３が故障した場合の交換、新たに操作装置の増設なども容易にできる。
【０１１０】
また、第１操作装置２は、対象エリア９１の利用状況を表示する表示器としての機能も有している。そのため、ユーザは、対象エリア９１の利用の開始及び終了に連動して、第１照明機器７１及び第２照明機器７２の点灯及び消灯を行うことができる。したがって、対象エリア９１が利用されていない場合に、第１照明機器７１及び第２照明機器７２が点灯することが抑制され、オフィス９０における消費電力の削減を図ることができる。また、第１操作装置２及び第２操作装置３は、それぞれ単一の操作部２１，３１のみを有する構成であるので、利用者が操作を誤る可能性を抑制できる。
【０１１１】
また、本実施形態では、第１操作装置２と第２操作装置３と操作内容の組み合わせにより、第１照明機器７１及び第２照明機器７２の一括点灯／消灯、及び第２照明機器７２の個別点灯／消灯を行っている。例えば、ユーザが、モニタ９１３を用いたプレゼンテーションを行わない場合、第２照明機器７２の個別消灯が不要となる。このような場合、ユーザは、第２操作装置３の操作が不要であり、第１操作装置２の操作のみで第１照明機器７１及び第２照明機器７２の点灯及び消灯が可能となる。したがって、第１照明機器７１及び第２照明機器７２それぞれに対応した２つのスイッチを用いる場合に比べて、ユーザがスイッチを操作する手間、回数を減らすことができる。
【０１１２】
また、第１操作装置２の状態は、対象エリア９１の利用状況と連動している。そのため、第１操作装置２の操作情報及び識別情報に基づいて、表示装置６で対象エリア９１の利用状況を掲示することができる。これにより、対象エリア９１の利用を希望するユーザは、対象エリア９１の利用状況（空状況）を確認することができる。そのため、対象エリア９１の利用を希望するユーザは、利用状況を確認するために対象エリア９１まで出向く手間を省くことができ、利便性の向上を図ることができる。
【０１１３】
また、第１操作装置２及び第２操作装置３の操作ログ（操作情報、識別情報）が、サーバ５の記憶部５３に記憶されており、情報処理部５２は、操作ログに基づいて利用情報を生成している。例えば、オフィス９０の管理者は、情報処理部５２が生成した利用情報を、対象エリア９１の数、大きさ、場所などが最適であるか否かを判断するための判断材料に用いることができる。例えば、例えば、多人数用の対象エリア９１Ｄの利用率が、少人数用の対象エリア９１Ａの利用率に比べて低いとする。この場合、オフィス９０の管理者は、多人数用の対象エリア９１Ｄを分けて、少人数用の対象エリア９１を新たに増やすことを検討できる。これにより、対象エリア９１の利用率の向上を図ることができる。また、税法処理部が生成した利用情報は、対象エリア９１の利用予約を行うための予約システムの導入の可否の判断材料に用いることもできる。
【０１１４】
（変形例）
以下に、本実施形態の制御システム１の変形例について説明する。
【０１１５】
上述した例では、表示装置６は、制御装置４を介して第１操作装置２からの操作情報及び識別情報を受信し、受信した操作情報及び識別情報に基づいて利用状況を判断して表示しているが、これに限らない。第１操作装置２は、表示装置６に操作情報及び識別情報を出力するように構成されていてもよい。この場合、表示装置６は、第１操作装置２が受信した操作情報及び識別情報に基づいて対象エリア９１の利用状況を判断して表示する。これにより、制御装置４の処理負荷の軽減を図ることができる。
【０１１６】
また、第１操作装置２は、サーバ５に操作情報及び識別情報を出力するように構成されていてもよい。この場合、サーバ５は、第１操作装置２から受信した操作情報及び識別情報を表示装置６に出力する。表示装置６は、サーバ５を介して受信した操作情報及び識別情報に基づいて、対象エリア９１の利用状況を表示する。
【０１１７】
また、表示装置６は、利用状況に加えて、情報処理部５２が生成した利用情報を表示してもよい。例えば、表示装置６は、各対象エリア９１の１時間ごとの利用頻度等を表示してもよい。
【０１１８】
また、上述した例では、機器制御部４２は、第２操作装置３の操作情報に基づいて、第２照明機器７２をオン／オフ（点灯／消灯）するオン／オフ制御を行っているが、これに限らない。例えば、機器制御部４２は、第２操作装置３の操作情報に基づいて、第２照明機器７２のオン／オフ（点灯／消灯）するオン／オフ制御、及び第２照明機器７２のオン時の動作、具体的には点灯時の調光度を制御するように構成されていてもよい。例えば、機器制御部４２は、第２操作装置３が入力操作される度に、第２照明機器７２が全点灯（調光度１００％）、調光点灯（調光度５０％）、消灯（調光度０％）の順に切り替わるように制御してもよい。
【０１１９】
また、機器制御部４２は、第１操作装置２及び第２操作装置３それぞれの操作情報及び識別情報に基づいて、複数（２つ）の照明機器７（第１照明機器７１及び第２照明機器７２）を制御しているが、これに限らない。機器制御部４２は、機器制御部４２は、第１操作装置２及び第２操作装置３それぞれの操作情報及び識別情報に基づいて、第１照明機器７１又は第２照明機器７２のみを制御してもよいし、第１照明機器７１及び第２照明機器７２に加えて更に別の照明機器７（例えば第３照明機器７３）を制御してもよい。
【０１２０】
また、上述した例では、対象エリア９１に２つの操作装置（第１操作装置２及び第２操作装置３）が設けられているが、これに限らない。対象エリア９１には、１つの操作装置（例えば第１操作装置２）のみが設けられていてもよいし、３つ以上の操作装置が設けられていてもよい。
【０１２１】
また、第１操作装置２及び第２操作装置３は、それぞれ１つの操作部２１，３１のみを有する構成であったが、複数の操作部２１を有し、複数の操作部２１の入力操作に応じた操作情報を出力するように構成されていてもよい。
【０１２２】
また、第１操作装置２及び第２操作装置３のそれぞれは、操作情報及び識別情報を無線信号で出力するように構成されていたが、有線信号により出力するように構成されていてもよい。
【０１２３】
また、第１操作装置２及び第２操作装置３のそれぞれは、入力操作に応じて発電部２３が発電した電力を用いて操作情報及び識別情報を出力する、いわゆるエナジーハーベスタスイッチであるが、これに限らない。第１操作装置２及び第２操作装置３は、それぞれ電池を有し、電池に蓄えられた電力を用いて操作情報及び識別情報を出力するように構成されていてもよい。
【０１２４】
また、上述した例では、機器制御部４２は、操作装置（第１操作装置２及び第２操作装置３）の入力操作による制御対象の機器として照明機器７（第１照明機器７１及び第２照明機器７２）を制御しているが、機器の種類は照明機器７に限らない。例えば、機器制御部４２は、操作装置の入力操作による制御対象の機器として空調装置、モニタ９１３等を制御してもよい。
【０１２５】
また、上述した例では、対象エリア９１は、開放空間であって対象エリア９１の内側と外側の空間とが連続していたがこれに限らず、壁や扉等で区切られた密室空間であってもよい。
【０１２６】
また、上述した例では、対象エリア９１が４つの場合を例に説明したが、対象エリア９１の数は、１つであってもよいし、４つ以外の複数であってもよい。
【０１２７】
制御システム１と同様の機能は、制御方法、コンピュータプログラム、又はプログラムを記録した非一時的な記録媒体等で具現化されてもよい。一態様に係る制御方法は、対象エリア９１に対応する機器（第１照明機器７１、第２照明機器７２）を制御する方法であって、機器制御ステップと、情報処理ステップとを含む。機器制御ステップでは、対象エリア９１に設けられた操作装置（第１操作装置２、第２操作装置３）が出力する操作情報、及び識別情報に基づいて、機器を制御する。情報処理ステップでは、操作情報及び識別情報に基づいて、対象エリア９１の利用に関する利用情報を生成する。一態様に係る（コンピュータ）プログラムは、コンピュータシステムに、上記の制御方法を実行させるためのプログラムである。 
【０１２８】
本開示における制御システム１は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における制御システム１としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１２９】
また、制御システム１における複数の機能が、複数の筐体（クラウドコンピューティングを含む）に分散して設けられることは制御システム１に必須の構成ではなく、制御システム１の構成要素は、１つの筐体内に集約されていてもよい。
【０１３０】
（まとめ）
第１態様に係る制御システム（１）は、対象エリア（９１）に対応する機器（第１照明機器７１、第２照明機器７２）を制御する。制御システム（１）は、操作装置（第１操作装置２、第２操作装置３）と、機器制御部（４２）と、情報処理部（５２）と、を備える。操作装置は、対象エリア（９１）に設けられ、ユーザによる入力操作の内容に応じた操作情報、及び対象エリア（９１）に対応する識別情報を出力する。機器制御部（４２）は、操作情報及び識別情報に基づいて機器を制御する。情報処理部（５２）は、操作情報及び識別情報に基づいて、対象エリア（９１）の利用に関する利用情報を生成する。
【０１３１】
この態様によれば、ユーザは、対象エリア（９１）に設けられた操作装置を操作することにより、この対象エリア（９１）に対応する機器を制御することができる。したがって、ユーザが機器を制御するために対象エリア（９１）外に移動する必要がなく、利便性の向上を図ることができる。
【０１３２】
第２態様に係る制御システム（１）は、第１態様において、対象エリア（９１）が利用中であるか否かを示す利用状況を表示する表示装置（６）を更に備える。
【０１３３】
この態様によれば、ユーザは表示装置（６）を見ることにより、対象エリア（９１）の利用状況を把握することができ、利便性が向上する。
【０１３４】
第３態様に係る制御システム（１）では、第２態様において、操作装置は、操作情報及び識別情報を、機器制御部（４２）を有する制御装置（４）に出力する。制御装置（４）は、操作情報及び識別情報を表示装置（６）に出力する。表示装置（６）は、制御装置（４）を介して受信した操作情報及び識別情報に基づいて、対象エリア（９１）の利用状況を表示する。
【０１３５】
この態様によれば、表示装置（６）は、操作装置と通信できない構成であっても、対象エリア（９１）の利用状況を判断して表示することができる。
【０１３６】
第４態様に係る制御システム（１）では、第２態様において、操作装置は、操作情報及び識別情報を、表示装置（６）に出力する。表示装置（６）は、操作装置から受信した操作情報及び識別情報に基づいて、対象エリア（９１）の利用状況を表示する。
【０１３７】
この態様によれば、表示装置（６）は、操作装置から直接的に受信した操作情報及び識別情報に基づいて対象エリア（９１）の利用状況を判断して表示することができる。
【０１３８】
第５態様に係る制御システム（１）では、第２態様において、操作装置は、操作情報及び識別情報を、情報処理部（５２）を有する処理装置（サーバ５）に出力する。処理装置は、操作情報及び識別情報を表示装置（６）に出力する。表示装置（６）は、処理装置を介して受信した操作情報及び識別情報に基づいて、対象エリア（９１）の利用状況を表示する。
【０１３９】
この態様によれば、表示装置（６）は、操作装置と通信できない構成であっても、対象エリア（９１）の利用状況を判断して表示することができる。
【０１４０】
第６態様に係る制御システム（１）では、第１〜第５態様のいずれかにおいて、表示装置（６）は、利用情報をさらに表示する。
【０１４１】
この態様によれば、ユーザは、表示装置（６）を見ることにより、対象エリア（９１）の利用情報を確認することができる。
【０１４２】
第７態様に係る制御システム（１）では、第１〜第６態様のいずれかにおいて、機器制御部（４２）は、操作情報に基づいて、機器をオン／オフするオン／オフ制御、及び機器のオン時の動作を制御する動作制御を行う。
【０１４３】
この態様によれば、ユーザは、操作装置への入力操作により、機器のオン／オフだけでなく、機器のオン時の動作を制御することができ、利便性が向上する。
【０１４４】
第８態様に係る制御システム（１）では、第１〜第７態様のいずれかにおいて、操作装置は、操作情報及び識別情報を無線信号で出力する。
【０１４５】
この態様によれば、操作装置に設置場所の自由度が向上する。
【０１４６】
第９態様に係る制御システム（１）では、第１〜第８態様のいずれかにおいて、操作装置は、発電部（２３，３３）と、出力部（２４，３４）と、を有する。発電部（２３，３３）は、入力操作によって発電する。出力部（２４，３４）は、発電部（２３，３３）による発電電力を用いて操作情報及び識別情報を出力する。
【０１４７】
この態様によれば、電池が不要となるため、電池交換の手間を省くことができる。
【０１４８】
第１０態様に係る制御システム（１）では、第１〜第９態様のいずれかにおいて、操作装置を複数備える。複数の操作装置は、互いに同じ対象エリア（９１）に設けられる。機器制御部（４２）は、複数の操作装置それぞれの操作情報及び識別情報に基づいて、機器を制御する。
【０１４９】
この態様によれば、複数の操作装置の入力操作の組み合わせに基づいて、機器の制御パターンを増やすことができる。
【０１５０】
第１１態様に係る制御システム（１）では、第１〜第１０態様のいずれかにおいて、対象エリア（９１）は、開放空間であって対象エリア（９１）の内側の空間と外側の空間とが連続している。
【０１５１】
この態様によれば、対象エリア（９１）が壁等で区切られていない開放空間であっても、機器を制御するための操作装置が対象エリア（９１）に設けられているため、ユーザが操作する操作装置を探す手間が抑制される。
【０１５２】
第１２態様に係る制御方法は、対象エリア（９１）に対応する機器を制御する方法である。制御方法は、機器制御ステップと、情報処理ステップと、を含む。機器制御ステップでは、対象エリア（９１）に設けられた操作装置が出力する操作情報、及び識別情報に基づいて、機器を制御する。情報処理ステップでは、操作情報及び識別情報に基づいて、対象エリア（９１）の利用に関する利用情報を生成する。
【０１５３】
この態様によれば、ユーザは、対象エリア（９１）に設けられた操作装置を操作することにより、この対象エリア（９１）に対応する機器を制御することができる。したがって、ユーザが機器を制御するために対象エリア（９１）外に移動する必要がなく、利便性の向上を図ることができる。
【符号の説明】
【０１５４】
１  制御システム
２  第１操作装置（操作装置）
２３  発電部
２４  出力部
３  第２操作装置（操作装置）
３３  発電部
３４  出力部
４  制御装置
４２  機器制御部
５  サーバ（処理装置）
５２  情報処理部
７１  第１照明機器（機器）
７２  第２照明機器（機器）
９１  対象エリア
【図１】
2020141234.tif 000003
【図２】
2020141234.tif 000004
【図３】
2020141234.tif 000005
【図４】
2020141234.tif 000006
【図５】
2020141234.tif 000007